(57)【特許請求の範囲】
【請求項１】
ユーザに紐付けられたキーワードに関連するコンテンツを蓄積するコンテンツ蓄積手段と、
前記蓄積されたコンテンツを表示可能な表示手段と、
前記ユーザを常時撮影する撮影手段と、
前記撮影手段で撮影された、視聴している人物の数が単数の場合はその人物がユーザであると特定し、視聴している人物が複数の場合はリモコンを所持している人物をユーザであると認識することにより、前記表示手段に対面するユーザを識別するユーザ識別手段と、
前記ユーザが第１の操作を行うと、前記識別されたユーザに紐付けられたキーワードに関連するものとして蓄積された前記コンテンツを前記キーワードごとに前記表示手段に一覧表示させるコンテンツ一覧表示手段と、
前記ユーザが視聴するコンテンツが日常的でないと判断した場合、前記ユーザが視聴時間に間に合わなかった放送番組を推薦する受信制御手段と、
を備えたことを特徴とする情報処理装置。
【請求項２】
前記識別されたユーザの操作履歴に基づいてキーワードを抽出し該ユーザに紐付けて記憶するキーワード抽出手段をさらに備えること特徴とする請求項１記載の情報処理装置。
【請求項３】
前記コンテンツ一覧表示手段は、前記表示手段の表示画面の表示領域のうち一の領域に前記識別されたユーザに紐付けられたキーワードを一覧表示するとともに、前記表示画面の表示領域のうち少なくとも他の領域に前記一覧表示されたキーワードのうち該ユーザに選択されたキーワードに関連するものとして蓄積されたコンテンツを一覧表示することを特徴とする請求項１または２記載の情報処理装置。
【請求項４】
前記コンテンツ一覧表示手段は、ユーザが前記一覧表示されたコンテンツの一つを指定する第２の操作を行うと、指定されたコンテンツを前記表示手段に表示させることを特徴とする請求項１ないし３のいずれか一項記載の情報処理装置。
【請求項５】
コンテンツ蓄積手段、表示手段、撮影手段、ユーザ識別手段、コンテンツ一覧表示手段、及び受信制御手段を有する情報処理装置のコンピュータが、前記撮影手段で前記表示手段を視聴しているユーザを常時撮影させ、前記ユーザごとに紐付けられたキーワードに関連するコンテンツを前記コンテンツ蓄積手段に蓄積させ、識別されたユーザが第１の操作を行うと、前記識別されたユーザに紐付けられたキーワードに関連するものとして蓄積された前記コンテンツを前記コンテンツ一覧表示手段に前記キーワードごとに一覧表示させ、前記受信制御手段が、前記ユーザが視聴するコンテンツが日常的でないと判断した場合、前記ユーザが視聴時間に間に合わなかった放送番組を推薦することを特徴とする情報処理方法。
【請求項６】
コンテンツ蓄積手段、表示手段、撮影手段、ユーザ識別手段、コンテンツ一覧表示手段、及び受信制御手段を有する情報処理装置のコンピュータに、
前記コンテンツ蓄積手段が、ユーザに紐付けられたキーワードに関連するコンテンツを蓄積する手順、
前記表示手段が、蓄積されたコンテンツを表示する手順、
前記撮影手段が、前記ユーザを常時撮影する手順、
前記ユーザ識別手段が、前記撮影手段で撮影された、視聴している人物の数が単数の場合はその人物がユーザであると特定し、視聴している人物が複数の場合はリモコンを所持している人物をユーザであると認識することにより、前記表示手段に対面するユーザを識別する手順、
前記コンテンツ一覧表示手段が、ユーザが第１の操作を行うと、前記識別されたユーザに紐付けられたキーワードに関連するものとして前記蓄積されたコンテンツを前記キーワードごとに前記表示手段に一覧表示させる手順、
受信制御手段が、前記ユーザが視聴するコンテンツが日常的でないと判断した場合、前記ユーザが視聴時間に間に合わなかった放送番組を推薦する手順、
を実行させるためのプログラム。
【発明の詳細な説明】
【技術分野】
【０００１】
本発明は、情報処理装置、情報処理方法、及びプログラムに関する。
【背景技術】
【０００２】
情報処理装置を用いて放送番組を録画し、サムネイルに一覧表示することが行われている（例えば、特許文献１参照。）。
特許文献１に記載の発明は、「情報処理装置、その方法、そのプログラム、およびそのプログラムを記録した記録媒体、および表示制御装置」に関するものであり、具体的には、複数の画像情報が一連のデータ列構造として構成された映像情報を取得する映像情報取得手段と、映像情報を特定する特定情報を取得する特定情報取得手段と、画像情報の一部に特定情報が含まれているか否かを判断する判断手段と、判断手段にて画像情報に特定情報が含まれていると判断されると、特定情報が含まれる画像情報を取得する画像情報取得手段と、取得した画像情報を映像情報に関連付けられた代表画像として取得する代表画像取得手段と、を具備したものである。
【先行技術文献】
【特許文献】
【０００３】
【特許文献１】特開２００６−１４０６０３号公報
【発明の概要】
【発明が解決しようとする課題】
【０００４】
ところで、特許文献１に記載の発明は、ユーザの興味のある番組等を録画した内容からＣＭ（コマーシャル）を削除した本編の一画面を一覧表示するものである。
しかしながら、ユーザがサムネイルの中から見たい番組を探す場合には、予めユーザ自身がファイルに分類しておかなければならず、サムネイルの数は日ごとに増加し、分類作業やファイルの中から探さなければならず不便であった。
しかも、情報処理装置の電源を投入した時にはユーザ専用のファイルを呼び出し、さらに目的のサムネイルを拡大しなければならず不便であった。
【０００５】
そこで、本発明の目的は、電源投入時のＴＰＯに応じて、ユーザが見たいコンテンツを容易に得ることができる情報処理装置、情報処理方法、及びプログラムを提供することにある。
【課題を解決するための手段】
【０００６】
上記課題を解決するため、請求項１記載の発明は、ユーザに紐付けられたキーワードに関連するコンテンツを蓄積するコンテンツ蓄積手段と、前記蓄積されたコンテンツを表示可能な表示手段と、前記ユーザを常時撮影する撮影手段と、前記撮影手段で撮影された、視聴している人物の数が単数の場合はその人物がユーザであると特定し、視聴している人物が複数の場合はリモコンを所持している人物をユーザであると認識することにより、前記表示手段に対面するユーザを識別するユーザ識別手段と、前記ユーザが第１の操作を行うと、前記識別されたユーザに紐付けられたキーワードに関連するものとして蓄積された前記コンテンツを前記キーワードごとに前記表示手段に一覧表示させるコンテンツ一覧表示手段と、前記ユーザが視聴するコンテンツが日常的でないと判断した場合、前記ユーザが視聴時間に間に合わなかった放送番組を推薦する受信制御手段と、を備えたことを特徴とする。
【発明の効果】
【０００７】
本発明によれば、電源投入時のＴＰＯに応じて、ユーザが見たいコンテンツを容易に得ることができる。
【図面の簡単な説明】
【０００８】
【図１】本発明の一実施形態に係るハードウエア構成を示すブロック図である。
【図２】図１に示した情報処理装置１００に用いられるソフトウエアの構成図の一例である。
【図３】図１に示した情報処理装置の動作を示すフローチャートの一例である。
【図４】図３に示したフローチャートを詳細に説明したフローチャートの一例である。
【図５】情報処理装置１００に表示される画面及びリモコン４０の一例である。
【図６】図１に示した情報処理装置１００における整列前のパーソナルチャンネルの概念図である。
【図７】図６に示したメイン画面１０１の整列後の拡大図である。
【図８】パーソナルチャンネルのサイドメニュー１０２ｃに関連するマイチャンネル番組表の一例である。
【図９】図８に示した番組ガイドの拡大図である。
【図１０】パーソナルチャンネルにおける画面遷移を示す図である。
【図１１】パーソナルチャンネルの拡大図である。
【図１２】（ａ）〜（ｃ）は、ユーザ個人を特定し、個人に合わせた嗜好データの切り分けをした状態を示す図である。
【発明を実施するための形態】
【０００９】
本発明の実施の形態について説明する。
本情報処理装置は、例えばテレビジョン受像器の電源を投入した時のＴＰＯに応じて、ユーザが見たい情報に関連するチャンネルをまとめて表示するものである。
＜構  成＞
〔ハードウエア〕
図１は、本発明の一実施形態に係るハードウエア構成を示すブロック図である。
同図に示す情報処理装置１００（例えば、テレビジョン受像器）は、受信部（チューナ）１１、ストリーム分離部（ＤＥＭＵＸ：demultiplexer：デマルチプレクサ）１２、映像デコード部１３、表示処理部（スケーラ）１４、表示部（モニタ）１５、パーソナルＤＢ（database）１６、サービス１７、ＧＰＳ（Global Positioning System：汎地球測位システム）１８、受信制御部１９、センサ２０、リモコン受信部２１、入力手段２２、カメラ２３、及びネットワーク接続部２４を有する。
【００１０】
受信部１１は、地上デジタル放送、ＢＳ（broadcasting satellite：放送衛星）放送、もしくはＣＳ（communication satellite：通信衛星）放送を受信し、受信したストリームをストリーム分離部１２に入力するチューナとして機能する回路である。受信部１１は、受信制御部１９の制御により受信するチャンネルを変更する機能を有する。
ストリーム分離部１２は、映像、音声、データ等の多重化されたストリームを分離するＤＥＭＵＸ処理を行う。ストリーム分離部１２は、分離されたストリームのうち映像に関するストリームを映像デコード部１３に入力する。その他のストリームについては本発明とは直接関係がないので説明を割愛する。
映像デコード部１３は、入力された映像に関するストリームをデコードして映像データとして後段の処理ブロックに入力する。ストリームについては限定しないが、例えば、ＭＰＥＧ(Moving Picture Experts Group)、Ｈ．２６４等の規格のものが挙げられる。
表示処理部１４は、表示部１５にストリーム画像やサイドメニューの表示可能な範囲や大きさを制御する。
表示部１５は、例えば、ＨＤＴＶ（high-definition television：高品位テレビ）を表示することのできるモニタであり、例えば液晶表示装置が挙げられる。
【００１１】
受信制御部１９は、受信部１１、表示処理部１４、パーソナルＤＢ１６、サービス１７、ＧＰＳ１８、センサ２０、リモコン受信部２１、入力手段２２、及びカメラ２３からのデータに基づいて各種処理を行う機能を有する回路であり、例えばマイクロプロセッサが挙げられる。受信制御部１９は、抽出手段１９ａ、絞り込み手段１９ｂ、収集手段１９ｃ、画像処理手段１９ｄ、検索手段１９ｅ、分析手段１９ｆ、ユーザ識別手段１９ｇ、コンテンツ一覧表示手段１９ｈ、キーワード抽出手段１９ｉ、及びコンテンツ蓄積手段１９ｊを有する。
受信制御部１９は、入力手段２２もしくは図には示されないリモコンから入力された電源オンオフ、番組切り替えの指示、音量調節等の指示に基づき電源オンオフ、チャンネル切り替え等の制御をする機能を有する。
【００１２】
抽出手段１９ａは、パーソナルＤＢ１６に蓄積したデータからキーワードを抽出する機能を有する。
絞り込み手段１９ｂは、キーワードを頻度でランキングすることで興味情報を絞り込む機能を有する。
収集手段１９ｃは、絞り込んだ興味情報に関する情報を収集する機能を有する。
画像処理手段１９ｄは、ユーザの過去のライフログをビジュアル表示、検索するための第一のサイドメニュー、ショッピングサイトと連携してユーザの嗜好に応じた商品をネットショッピングするための第二のサイドメニュー、及びユーザの嗜好に応じて蓄積したコンテンツ毎にまとめたチャンネル用の第三のサイドメニューを、コンテンツを表示するメイン画面と共に表示部１５に表示させる機能を有する。
これらのサイドメニューの選択は、ユーザによるリモコンの操作で行われる。
検索手段１９ｅは、ユーザの興味情報に基づいてネットワーク接続部２４により接続されたネットワークのサイトからユーザの興味情報に関連するデータを検索する機能を有する。
分析手段１９ｆは、抽出したキーワードのジャンル、頻度等を分析する機能を有する。
ユーザ識別手段１９ｇは、表示手段としての表示部１５に対面するユーザを識別する機能を有する。すなわち、ユーザ識別手段１９ｇは、カメラ２３で表示部１５の前面を常時撮影し、視聴している人物の数が単数の場合はその人物がユーザであると特定し、視聴している人物が複数の場合はリモコン４０を所持している人物をユーザであると認識する。
コンテンツ一覧表示手段１９ｈは、ユーザが第１の操作を行うと、識別されたユーザに紐付けられたキーワードに関連するものとして蓄積されたコンテンツをキーワードごとに表示部１５に一覧表示させる機能を有する。
ここで、第１の操作とは、例えば、リモコン４０でサイドメニュー１０２ａ〜１０２ｃの何れかを選択することが挙げられる。
コンテンツ一覧表示手段１９ｈは、表示画面の表示領域のうち一の領域に識別されたユーザに紐付けられたキーワードを一覧表示するとともに、表示画面の表示領域のうち少なくとも他の領域に一覧表示されたキーワードのうちユーザに選択されたキーワードに関連するものとして蓄積されたコンテンツを一覧表示するようにしてもよい。
ここで、「少なくとも」はキーワード表示欄がコンテンツ一覧表示欄にオーバレイ表示されるケースを含めることを意味する。
コンテンツ一覧表示手段１９ｈは、ユーザが一覧表示されたコンテンツの一を指定する第２の操作を行うと、指定されたコンテンツを表示部１５に表示させる機能を有する。
キーワード抽出手段１９ｉは、識別されたユーザの操作履歴に基づいてキーワードを抽出しユーザに紐付けて記憶する機能を有する。
コンテンツ蓄積手段１９ｊは、ユーザに紐付けられたキーワードに関連するコンテンツを蓄積する機能を有する。
これら抽出手段１９ａ、絞り込み手段１９ｂ、収集手段１９ｃ、画像処理手段１９ｄ、検索手段１９ｅ、分析手段１９ｆ、ユーザ識別手段１９ｇ、コンテンツ一覧表示手段１９ｈ、キーワード抽出手段１９ｉ、及びコンテンツ蓄積手段１９ｊは、ソフトウエアで構成される。
【００１３】
受信制御部１９にて行われるコンテンツの分類は、取得したコンテンツデータの一部を表示するサムネイルを生成し、興味情報の各々に付与された属性毎にまとめ、同一属性を有する情報に対する処理の基礎となった指示の履歴に基づいて、ユーザにとって優先度が高いか否かで判断する。
また、優先度が高いとは、ユーザの視聴する番組のジャンル、出演者、もしくは団体毎に視聴回数、及び視聴時間を測定し、視聴回数、及び視聴時間の多い番組を興味度が高いとする。
【００１４】
蓄積手段としてのパーソナルＤＢ１６は、ユーザ毎にファイルに分けて興味情報を記憶する。
サービス１７は、情報処理装置１００がネットワーク接続装置２４によりネットワーク接続されている場合に、得られた情報を記憶する装置である。
ＧＰＳ１８は、情報処理装置１００の現在位置に関する情報を探索する装置である。
センサ２０は、情報処理装置１００の前面のリモコン使用可能領域に人がいるか否か、距離はどのくらいかを判断する。
リモコン受信部２１は、図には示されていないリモコンとの間でチャンネル切り替えや音量調節等の制御信号や応答信号を授受する。
入力手段２２は、例えば、電源ボタン、チャンネル切り替えボタン、音量ボタン、もしくは入力切換ボタンである。
カメラ２３は、情報処理装置１００の前面で図には示されていないリモコンを操作するユーザを認識するため撮影し、電気信号に変換する機能を有する。これは、ユーザが複数存在する場合にユーザ毎に顔を認識し、興味情報を紐づけるのに利用される。
ネットワーク接続部２４は、図示しないネットワークと接続する機能を有する。
【００１５】
〔ソフトウエア〕
図２は、図１に示した情報処理装置１００に用いられるソフトウエアの構成図の一例である。
ユーザの行動３１やユーザの状態３２がＴＰＯ（time position occasion：時、所、場合）に応じて分析し、パーソナルＤＢ（データベース）１６に記憶される。パーソナルＤＢ１６には例えばＨＤＤ（ハードディスクドライブ）が用いられる。
ＴＰＯは、ユーザが誰であるかに加え、ユーザの行動３１及びユーザの状態３２を含む。ユーザの行動３１としては、例えば、ＴＶ／録画コンテンツ、ＳＮＳ／Ｔｗｉｔｔｅｒ（ツイッター「以下、登録商標」）、メール／ブラウザ、検索、スケジューラ、及びショッピング等が挙げられる。
ＴＶ／録画コンテンツは、放送時間、チャンネル、番組名、ジャンル、出演者名、録画時間、及び録画モード等を意味する。
ＳＮＳは、ソーシャルネットワーキングサービスの略語であり、人と人とのつながりを促進・サポートするＷｅｂサイトである。友人・知人間のコミュニケーションを円滑にする手段や場を提供したり、趣味や嗜好、居住地域、出身校等を通じて新たな人間関係を提供したりする、会員制のサービスである。Ｔｗｉｔｔｅｒは、１４０文字以内の「ツイート」と称される短文を投稿できる情報サービスで、ツイッター社によって提供されている。
ＳＮＳやＴｗｉｔｔｅｒで話題からキーワードを分析することでユーザの興味情報を得ることができる。
メールは、ユーザが他者との間で情報を授受するものであり、メールを分析すればユーザの興味情報を得ることができる。
ブラウザは、インターネット上の情報を探し出し表示するためのソフトウエアであり、例えば、ネットスケープ・ナビゲータやインターネット・エクスプローラーが挙げられる。ブラウザをユーザが利用するときのキーワードを分析すれば興味情報が得られる。
検索は、キーワードを使ってユーザが知りたい情報を得るので、キーワードからユーザの興味情報が得られる。
スケジューラは、個人のスケジュールを管理するソフトウエアであり、スケジュールのキーワードからユーザの興味情報を得ることができる。
ショッピングは、ユーザがいつ、どのような商品を、いくつ購入したか履歴に残るので、ユーザの興味情報を得ることができる。
【００１６】
一方、ユーザの状態３２としては、位置、移動検知手段、表情（集中度）、及び感情状態が挙げられる。
位置は、ユーザが情報処理装置１００を使用しているときの位置であり、情報処理装置１００のＧＰＳ１８よりユーザが情報処理装置１００を利用しているときの位置情報を把握することができる。
移動検知手段は、例えば、ユーザが電車で移動している状態か、自動車で移動している状態か、もしくは徒歩で移動している状態かを把握する手段であり、例えば加速度センサや振動センサ等のセンサが挙げられる。この移動検知手段はユーザがスマートホンをリモコンとして利用する場合に用いられる。
表情（集中度）は、ユーザの表情が硬いか柔らかい、もしくはユーザが画面の特定箇所を凝視しているか、退屈しているか、居眠りしているか等を画像認識処理により判断するものである。
感情状態は、ユーザが喜怒哀楽、無表情（真顔）のいずれを示しているか等を画像認識処理により判断するものである。
【００１７】
パーソナルＤＢ１６に記憶されたデータは、必要に応じてリコメンドエンジン３４に送られる。リコメンドエンジン３４はユーザに必要と判断されるデータを提供するためのソフトウエアであり、サービス１７に接続されている。リコメンドエンジン３４はサービス１７との間で、サーチクエリーとサーチリザルトとを行う。
リコメンドエンジン３４は重要キーワードを抽出する重要キーワード抽出部３５と、ユーザランキングによる絞り込みを行う絞り込み部３６とを有する。重要キーワードは、ユーザ毎に異なる興味や関心の高いキーワードであり、頻出度の高い固有名詞（例えば、人名、キャラクタ名、曲名、番組名、国名、都市名、地名、競技名、ゲーム名等）が挙げられる。ユーザランキングは、統計数学的処理を施してユーザ毎に抽出されたキーワードを頻度順にランク付けをしたものである。絞り込みとは、ランク付けされたキーワードを上位から所定の順位まで選択して絞り込んだものをすぐに提供できるように確保しておくことである。
【００１８】
リコメンド結果３７は、ユーザに推薦すべきであると判断した場合にユーザに提供される情報であり、例えばユーザの好みのタレント、歌手、嗜好品、スポーツ、旅行等に関するイベント、放送番組、グッズ等の情報が挙げられる。
【００１９】
＜動  作＞
図３は、図１に示した情報処理装置の動作を示すフローチャートの一例である。
まず、ＴＰＯの判定が開始されると、情報抽出エンジンが作動し（ステップＳ１）、パーソナルＤＢとの間で情報の授受が行われる（ステップＳ２、Ｓ５）。
次に検索エンジンが作動し（ステップＳ３）、サービスとの間でサーチクエリーとサーチリザルトとが行われる（ステップＳ６）。
マッチングエンジンが作動し（ステップＳ３）、重要キーワードを抽出し、ユーザランキングによる絞り込みが行われ、リコメンド結果が得られる（ステップＳ４）。
【００２０】
図４は、図３に示したフローチャートを詳細に説明したフローチャートの一例である。動作の主体は受信制御部１９である。
まず、収集手段１９ｃ（図１参照）によりユーザの興味情報の収集を行い（ステップＳ１１）、分析手段１９ｆにより興味情報の分析を行い（ステップＳ１２）、興味情報に関連する情報の検索を検索手段１９ｅにより行う（ステップＳ１３）。
検索した情報をパーソナルＤＢ１６に蓄積し（ステップＳ１４）、蓄積した情報をユーザ毎に分類する（ステップＳ１５）。
リモコン使用者としてのユーザの確認を行う。これは、情報処理装置１００の前面にいる人がどのユーザであるかを確認する動作であり、公知の顔認識処理方法が用いられる（ステップＳ１６）。
【００２１】
ユーザが視聴するコンテンツは日常的か否かを判断する。日常的であるとは、普段通りに退社し、寄り道せずに帰宅する場合が挙げられる。日常的でないとは、例えば、ユーザが、突然の残業、宴会、接待、デート、合コン等により帰宅時刻が普段より遅くなったり、風邪、事故、交通ストライキ、大雪、台風等で休業したり、数日後にユーザにとって興味深い映画の新作が公開されたりする場合が挙げられる。日常的でない場合、例えばユーザの帰宅時刻が普段より遅く、お気に入りの番組の視聴に間に合わなかった場合、情報処理装置１００は、間に合わなかった番組を推薦することができる。また、ユーザが交通ストライキや大雪等で休業した場合に、情報処理装置１００は、自動で録り溜めしてある放送番組やウエブコンテンツ等のコンテンツの中からふさわしいものを推薦することができる。さらに、数日後、映画の新作が公開される場合、情報処理装置１００は、映画に関連するコンテンツやグッズ等を集めたチャンネルを作り、表示することができる（ステップＳ１７）。
【００２２】
ユーザが視聴するコンテンツが日常的である場合、例えば、ユーザが普段通りに帰宅した場合（ステップＳ１７／Ｙ）、情報処理装置１００は、ユーザに対応した画面、すなわちユーザにふさわしいコンテンツ及びサイドメニューを表示する（ステップＳ１８）。
ユーザ好みのコンテンツが無いか否かを判断し（ステップＳ１９）、ユーザ好みのコンテンツがある場合（ステップＳ１９／Ｎ）、ユーザ好みのコンテンツを表示する（ステップＳ２０）。
近日公開される映画の情報及び関連グッズがあれば表示して終了する（ステップＳ２１）。
【００２３】
ユーザが視聴するコンテンツが日常的でないと判断した場合（ステップＳ１７／Ｎ）、ユーザが視聴時間に間に合わなかった放送番組を推薦し（ステップＳ２３）、ステップＳ２０へ進む。
ユーザ好みの放送番組が無い場合（ステップＳ１９／Ｙ）、自動で録りだめしたコンテンツの中からユーザにふさわしいものを推薦し（ステップＳ２２）、ステップＳ２０へ進む。
【００２４】
＜画面遷移＞
図５は、情報処理装置１００に表示される画面及びリモコン４０の一例である。
情報処理装置１００は、リビングルーム等の床上もしくはテレビ台の上に載置して視聴することを前提としており、画面サイズは、例えば２９型以上としている。リモコン４０のサイズは手のひらサイズであるが、情報処理装置１００と比較して拡大表示されている。
情報処理装置１００は、電源が投入されると、カメラ２３を用いてユーザを確認し、ユーザ好みの画面（例えば、録画した番組「アングリー」）を表示する。尚、カメラ２３は図では情報処理装置１００の表示部１５（図１参照）を支持する支柱に設けられているが、本発明はこれに限定されるものではなく、表示部１５の周辺に設けてもよい。
画面１０３は、表示部１５の画面としての放送番組やウエブコンテンツを表示するためのメイン画面１０１と、サイドメニュー１０２と、を有する。メイン画面１０１中のアイコン１０４は、録画した放送番組が停止中であること意味し、リモコン４０の操作により図示しないカーソルを当てて、ボタン操作することができる。
サイドメニュー１０２のうちの第一のサイドメニュー１０２ａは、ユーザの過去のライフログをビジュアル表示、検索するためのサイドメニューである。第二のサイドメニュー１０２ｂは、ショッピングサイトと連携してユーザの嗜好に応じた商品をネットショッピングするためのサイドメニューである。第三のサイドメニュー１０２ｃは、ユーザの嗜好に応じて収集したコンテンツ毎にまとめたチャンネルである。
【００２５】
図６は、図１に示した情報処理装置１００におけるパーソナルチャンネルの整列前の概念図である。
サイドメニュー１０２のうちのパーソナルチャンネル（図５ではＰｅｒｓｎａｌ  Ｖｉｅｗｅｒ）のサイドメニュー１０２ｃをリモコン４０の操作により選択すると、図６に示すようにメイン画面１０１の画像がサイドメニュー１０２ｃに移動すると共に、メイン画面１０１にパーソナルチャンネルの画像が表示される。
図６の右上はユーザの視聴履歴に基づいて情報処理装置１００が作成したパーソナルチャンネルの一例であり、「○井  理」のパーソナルチャンネルがメイン画面１０１に表示されている。図６の左下にはメイン画面１０１、及びサイドメニューが表示され、メイン画面１０１及びサイドメニューの周囲にはユーザが視聴した放送番組の一シーンが配置されたイメージが記載されている。
【００２６】
図７は、図６に示したメイン画面１０１の整列後の拡大図である。
メイン画面１０１には、例えば、左側縦方向に見出し１０１ａ、中央上部にメインフレームＴＶ放送１０１ｂ、右側上部にサブフレーム１０１ｃ、メインフレームＴＶ放送１０１ｂの下側にはお気に入りのフレーム（図７ではＦａｖｏｒｉｔｅ）１０１ｄ、お気に入り１０１ｄの下側にはお気に入りのフレーム１０１ｄに関連する商品枠１０１ｅ、サブフレーム１０１ｃの下側には前回の録画番組１０１ｆ、及び動画サイト１０１ｇに区分けされて一覧表示される。各フレームを整列配置することによりユーザにとって観やすくなる。
【００２７】
図８は、パーソナルチャンネルのサイドメニュー１０２ｃに関連するマイチャンネル番組表の一例である。
過去の視聴、推薦、録画履歴と現在、未来の視聴、推薦、録画番組を利用シーン別でＵＩ（User Interface）で表示したものであり、（１）番組表、（２）番組ガイド、（３）テレビ予定表（不要な番組を除く）を有する。
（１）番組表において、ユーザの嗜好（例えば、○井  理出演）にあった番組が推薦番組としてハイライトされている。
（２）番組ガイドにおいて、ドラマは一般ランキングと推薦番組が曜日別に比較しやすく表示されている。見るだけでも楽しめる番組ガイドである。
（３）テレビ予定表において、予定として視聴、録画予定と推薦番組を表示し、
履歴として、視聴、録画履歴を表示する。全く見ないチャンネルの非表示も選択可能である。また、録画済み番組（例、１７時「Ｍスタ」と視聴、録画番組候補（例、２１時「ウィンターレスキュー」））が表示されている。
削除ナビとして、鮮度の低くなった録画番組をＢＤ（ブルーレイ・ディスク：登録商標）に保存、圧縮、削除候補として表示する容量確保ナビ機能がある。
【００２８】
図８の（２）に示すように一般ランキング（予約ランク）の一覧表と、当日予約Ｎｏ．１と、ユーザに合ったおすすめ番組（ユーザの２番目にお気に入りの「○栗  旬」）が出演している旨が表示されている。ユーザはこれらの表示を参考にして見たい番組を容易に探すことができる。
【００２９】
図９は、図８に示した番組ガイドの拡大図である。
同図に示す番組ガイドは、見るだけでも楽しめることを目的としたものであり、推薦番組と注目番組（『一般ランキング抽出番組』−『興味のない番組』）を紹介するものである。この番組ガイドは、一般ランキング（予約ランク）とユーザ嗜好ランキングを、レベルを調整して見やすく表示されている。また、カテゴリー別（ドラマ、アニメ、バラエティー、スポーツ、音楽等）に見やすく表示されている。図中の星印は一般ランキングにおける注目度を表しており、星の数が多いほど人気が高いことを表す。
【００３０】
図１０は、パーソナルチャンネルにおける画面遷移を示す図である。
メイン画面１０１の遷移画面１０１−１は、「○井  理チャンネル」のうち、最新録画番組をフル画面再生している状態を示す図である。遷移画面１０１−２は、「○井  理チャンネル」のうち、お気に入り番組やウエブコンテンツを拡大表示したものである。遷移画面１０１−３は、「○井  理チャンネル」のうち、関連商品の一覧をフル画面表示した図である。これらは、「ママゾン」、「楽夫」等のショッピングサイトを示している。遷移画面１０１−４は、「○井  理チャンネル」のうち、未閲覧の出演録画番組とサムネイルとを示した図である。遷移画面１０１−５は、「○井  理チャンネル」のうち、前回の録画番組と１話目、２話目、及び３話目のサムネイルを示した図である。遷移画面１０１−６は、「○井  理チャンネル」のうち、「スカハー」や「Ｖｏｕｓ  Ｔｕｂｅ」等の動画サイトを示す図である。
これらの遷移画面１０１−１〜１０１−５はリモコン４０の操作により切り替えられるようになっている。
【００３１】
図１１は、パーソナルチャンネルの拡大図である。
ユーザの予約録画やウエブコンテンツの録画が目的（キーワード）に応じて抽出されたチャンネル（メニュー）である。キーワードは、ユーザ嗜好ランキングから自動抽出または任意抽出される。
「○井  理」、「○之内  豊」、「○栗  旬」チャンネル等ユーザの趣味、嗜好に紐づいたチャンネルが作成され、ユーザの興味をそそる番組や動画であふれている。
各種コンテンツは、ユーザが好きなジャンル、キーワード毎にチャンネル作成が可能である（俳優等）。
嗜好指標、行動パターン、鮮度に基づき絞り込まれた動画情報（録画番組、動画サイト）が提供される。例えば、ドラマ「ウィンターレスキュー」等「○井  理」出演番組をよく見ている「○井  理」が出演している番組チャンネルが自動作成される。関連する商品の広告として、「○井  理」出演の映画ＢＤ、写真集やドラマ「ウィンターレスキュー」の舞台背景に関連する山がある特集の雑誌を表示する。
【００３２】
＜画像認識＞
図１２（ａ）〜（ｃ）は、ユーザ個人を特定し、個人に合わせた嗜好データの切り分けをした状態を示す図である。
情報処理装置１００に搭載されたカメラ２３を用いてユーザ個人を顔認識技術で特定する。個人に合わせた嗜好データの切り分けを行い、現在情報処理装置１００の前にいる個人の好みに合致した情報を提供するものであり、図１２（ａ）ではユーザの一人であるＡ子さん好みの「○井  理」のパーソナルチャンネルがメイン画面１０１及びサイドメニュー１０２に反映され、図１２（ｂ）ではユーザの一人であるＢ男さん好みの「○井  咲」や「佐々木  ○」等のパーソナルチャンネルがメイン画面１０１及びサイドメニュー１０２に反映されている。
また、情報処理装置１００は、フィットネスナビゲーションも可能であり、図１２（ｃ）に示すように画像認識技術を活用し、パーソナルＤＢ１６に記録された映像と、カメラ２３で撮影したユーザの映像との部分比較が可能である。すなわち、情報処理装置１００のメイン画面１０１を１０１Ｒ及び１０１Ｌに２分割し、ユーザの一人であるＣ子さんの映像を半メイン画面１０１Ｒとインストラクターの映像を半メイン画面１０１Ｌとに表示し、両映像の差分から例えば「あなたの点数は７５点です。足の角度に注意するといいですよ。」等と音声もしくは文字によるアドバイスをユーザの一人であるＣ子さんに与えることも可能である。
【００３３】
＜プログラム＞
以上で説明した本発明に係る情報処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【００３４】
例えば、
コンテンツ蓄積手段、表示手段、ユーザ識別手段、及びコンテンツ一覧表示手段を有する情報処理装置のコンピュータに、
コンテンツ蓄積手段が、ユーザに紐付けられたキーワードに関連するコンテンツを蓄積する手順、
表示手段が、蓄積されたコンテンツを表示する手順、
ユーザ識別手段が、表示手段に対面するユーザを識別する手順、
コンテンツ一覧表示手段が、ユーザが第１の操作を行うと、識別されたユーザに紐付けられたキーワードに関連するものとして蓄積されたコンテンツをキーワードごとに表示手段に一覧表示させる手順、
を実行させるためのプログラムが挙げられる。
【００３５】
これにより、プログラムが実行可能なコンピュータ環境さえあれば、どこにおいても本発明に係る情報処理装置を実現することができる。
このようなプログラムは、コンピュータに読み取り可能な記憶媒体に記憶されていてもよい。
【００３６】
＜記憶媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【００３７】
ＣＤ−ＲＯＭは、Compact Disc Read Only Memoryの略である。フレキシブルディスクは、Flexible Disk：ＦＤを意味する。ＣＤ−Ｒは、CD Recordableの略である。ＲＡＭは、Random-Access Memoryの略である。ＲＯＭは、Read-Only Memoryの略である。ＦｅＲＡＭは、Ferroelectric RAMの略で、強誘電体メモリを意味する。ＨＤＤは、Hard Disc Driveの略である。
【００３８】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３９】
１１    受信部（チューナ）
１２    ストリーム分離部（ＤＥＭＵＸ）
１３    映像デコード部
１４    表示処理部（スケーラ）
１５    表示部（モニタ）
１６    パーソナルＤＢ
１７    サービス
１８    ＧＰＳ（汎地球測位システム）
１９    受信制御部
１９ａ    抽出手段
１９ｂ    絞り込み手段
１９ｃ    コンテンツ蓄積手段
１９ｄ    画像処理手段
１９ｅ    検索手段
１９ｆ    分析手段
１９ｇ    ユーザ識別手段
１９ｈ    コンテンツ一覧表示手段
１９ｉ    キーワード抽出手段
２０    センサ
２１    リモコン受信部
２２    入力手段
２３    カメラ
２４    ネットワーク接続部
３１    ユーザの行動
３２    ユーザの状態
３４    リコメンドエンジン
３５    重要キーワード抽出部
３６    絞り込み部
３７    リコメンド結果
４０    リモコン
１００    情報処理装置（テレビジョン受像器）
１０１    メイン画面
１０２    サイドメニュー
１０３    画面
【図１】
0005963789.tif 000002
【図２】
0005963789.tif 000003
【図３】
0005963789.tif 000004
【図４】
0005963789.tif 000005
【図５】
0005963789.tif 000006
【図６】
0005963789.tif 000007
【図７】
0005963789.tif 000008
【図８】
0005963789.tif 000009
【図９】
0005963789.tif 000010
【図１０】
0005963789.tif 000011
【図１１】
0005963789.tif 000012
【図１２】
0005963789.tif 000013